【手続補正書】
【提出日】平成22年6月16日(2010.6.16)
【手続補正１】
【補正対象書類名】特許請求の範囲
【補正対象項目名】請求項１
【補正方法】変更
【補正の内容】
【請求項１】
足部の拇指球、小指球及び踵からなる３つの支点をそれぞれ支持する支持部と、
足部の内側縦足弓に相対向する位置に設けられ、前記内側縦足弓の弾性運動を許容する許容部と、
足部の外側縦足弓に相対向する位置に設けられ、前記外側縦足弓の弾性運動を許容する許容部と、
足部の横足弓に相対向する位置に設けられ、前記横足弓の弾性運動を許容する許容部とを備えたことを特徴とする履き物。
【手続補正２】
【補正対象書類名】特許請求の範囲
【補正対象項目名】請求項２
【補正方法】変更
【補正の内容】
【請求項２】
請求項１に記載の履き物において、
前記各支点を支持する支点位置に、前記各支点をそれぞれ持ち上げる突部を備え、
拇指球を支持する位置に設けられた前記突部は拇指球の接地部分の大きさに形成され、小指球を支持する位置に設けられた前記突部は小指球の接地部分の大きさに形成され、踵を支持する位置に設けられた前記突部は踵の接地部分の大きさに形成されたことを特徴とする履き物。
【手続補正３】
【補正対象書類名】特許請求の範囲
【補正対象項目名】請求項６
【補正方法】変更
【補正の内容】
【請求項６】
履き物の内部構造体であって、
足部の拇指球、小指球及び踵からなる３つの支点をそれぞれ支持する支持部と、
足部の内側縦足弓に相対向する位置に設けられ、前記内側縦足弓の弾性運動を許容する許容部と、
足部の外側縦足弓に相対向する位置に設けられ、前記外側縦足弓の弾性運動を許容する許容部と、
足部の横足弓に相対向する位置に設けられ、前記横足弓の弾性運動を許容する許容部とを備えたことを特徴とする内部構造体。
【手続補正４】
【補正対象書類名】特許請求の範囲
【補正対象項目名】請求項７
【補正方法】変更
【補正の内容】
【請求項７】
足裏面と相対向する底面のうち、足部の拇指球、小指球及び踵からなる３つの支点をそれぞれ支持する各支点位置を、前記各支持位置の間の内側縦足弓、外側縦足弓、及び横足弓に相対向する各足弓位置よりも高くすることを特徴とする足部矯正方法。
【手続補正５】
【補正対象書類名】明細書
【補正対象項目名】０００２
【補正方法】変更
【補正の内容】
【０００２】
足部のうち、第１中足骨の種子骨を中心とした拇指球、第５中足骨の先端に位置する小指球、及び踵は、体重を支え、人体の前後左右のバランスを整える上で重要な役割を有している。
【手続補正６】
【補正対象書類名】明細書
【補正対象項目名】０００３
【補正方法】変更
【補正の内容】
【０００３】
また、図１４に示す拇指球位置Ｐ１、小指球位置Ｐ２及び踵位置Ｐ３の間は、それぞれ複数の足骨によって繋がっており、それらの足骨はそれぞれ鉛直方向上方に湾曲した弓状をなしている。即ち、拇指球位置Ｐ１と踵位置Ｐ３との間にある足骨は内側縦足弓Ａ１を構成し、小指球位置Ｐ２と踵位置Ｐ３との間にある足骨は外側縦足弓Ａ２を構成する。また、拇指球位置Ｐ１から小指球位置Ｐ２は、横足弓Ａ３を構成する。内側縦足弓Ａ１、外側縦足弓Ａ２及び横足弓Ａ３は、いわゆる足のアーチを構成し、例えば土踏まず等の足裏面における凹状部分に相当する。
【手続補正７】
【補正対象書類名】明細書
【補正対象項目名】０００８
【補正方法】変更
【補正の内容】
【０００８】
上記問題点を解決するために、請求項１に記載の発明は、足部の拇指球、小指球及び踵からなる３つの支点をそれぞれ支持する支持部と、足部の内側縦足弓に相対向する各足弓位置に設けられ、前記内側縦足弓の弾性運動を許容する許容部と、足部の外側縦足弓に相対向する位置に設けられ、前記外側縦足弓の弾性運動を許容する許容部と、足部の横足弓に相対向する位置に設けられ、前記横足弓の弾性運動を許容する許容部とを備えたことを要旨とする。
【手続補正８】
【補正対象書類名】明細書
【補正対象項目名】０００９
【補正方法】変更
【補正の内容】
【０００９】
これによれば、履き物は、足部の各支点を支持する支持部と、足部の３つの内側縦足弓、外側縦足弓及び横足弓にそれぞれ相対向する足弓位置に各足弓の弾性運動を許容する許容部を設けた。このため、各足弓の上下方向の弾性運動が妨げられないので、足のアーチを育成することができる。
【手続補正９】
【補正対象書類名】明細書
【補正対象項目名】００１０
【補正方法】変更
【補正の内容】
【００１０】
請求項２に記載の発明は、請求項１に記載の履き物において、前記各支点を支持する支点位置に、前記各支点をそれぞれ持ち上げる突部を備え、拇指球を支持する位置に設けられた前記突部は拇指球の接地部分の大きさに形成され、小指球を支持する位置に設けられた前記突部は小指球の接地部分の大きさに形成され、踵を支持する位置に設けられた前記突部は踵の接地部分の大きさに形成されたことを要旨とする。
これによれば、各支点を持ち上げる突部により、身体のバランスを整え、姿勢を良好にするとともに、足のアーチを育成することができる。
【手続補正１０】
【補正対象書類名】明細書
【補正対象項目名】００１４
【補正方法】変更
【補正の内容】
【００１４】
これによれば、支持部は、履き物の下面に設けられた突部である。このため、足弓の上下方向の弾性運動が妨げられないので、足のアーチを育成することができる。
請求項６に記載の発明は、履き物の内部構造体であって、足部の拇指球、小指球及び踵からなる３つの支点をそれぞれ支持する支持部と、足部の内側縦足弓に相対向する位置に設けられ、前記内側縦足弓の弾性運動を許容する許容部と、足部の外側縦足弓に相対向する位置に設けられ、前記外側縦足弓の弾性運動を許容する許容部と、足部の横足弓に相対向する位置に設けられ、前記横足弓の弾性運動を許容する許容部とを備えたことを要旨とする。
【手続補正１１】
【補正対象書類名】明細書
【補正対象項目名】００１５
【補正方法】変更
【補正の内容】
【００１５】
これによれば、内部構造体は、足部の各支点を支持する支持部と、足部の３つの内側縦足弓、外側縦足弓、横足弓にそれぞれ相対向する各足弓位置に設けられ、各足弓の弾性運動を許容する許容部を設けた。このため、内部構造体を履き物に装着することにより、各足弓の上下方向の弾性運動が妨げられないので、足のアーチを育成することができる。
【手続補正１２】
【補正対象書類名】明細書
【補正対象項目名】００１６
【補正方法】変更
【補正の内容】
【００１６】
請求項７に記載の発明は、足裏面と相対向する底面のうち、足部の拇指球、小指球及び踵からなる３つの支点をそれぞれ支持する各支点位置を、前記各支持位置の間の内側縦足
弓、外側縦足弓、及び横足弓に相対向する各足弓位置よりも高くすることを要旨とする。
【手続補正１３】
【補正対象書類名】明細書
【補正対象項目名】００２１
【補正方法】変更
【補正の内容】
【００２１】
中敷き３と中底２との間には、支持部としての３つの高さ調整部５が設けられている。高さ調整部５は、接着剤等により中敷き３の下面又は中底２の上面に貼着されていてもよいし、中敷き３又は中底２に縫合されていてもよい。図２に示すように、第１調整部５Ａは、足の拇指球を支持する位置（拇指球位置）に設けられている。拇指球は、親指の中足骨にある種子骨を中心とし、体重を支える支点の一つである。第１調整部５Ａの大きさは、この種子骨の大きさ、或いは種子骨の接地部分の大きさに形成されている。
【手続補正１４】
【補正対象書類名】明細書
【補正対象項目名】００２５
【補正方法】変更
【補正の内容】
【００２５】
また、各高さ調整部５の材質は、軟質のポリウレタン等、低反発性を有する材質を用いると履き心地を向上できるが、特に限定されない。
図３（ａ）は、図２中Ａ−Ａ線における、拇指球位置及び小子球位置を横切る要部断面図であって、図３（ｂ）は、図２中Ｂ−Ｂ線における、拇指球位置及び小子球位置を横切る要部断面図である。また、図３（ｃ）は、図２中Ｃ−Ｃ線における、小子球位置及び踵位置を横切る要部断面図である。
【手続補正１５】
【補正対象書類名】明細書
【補正対象項目名】００２７
【補正方法】変更
【補正の内容】
【００２７】
また、図３（ａ）に示すように、小指球位置の突部７Ａと、拇指球位置の突部７Ｂとが形成されることにより、各突部７Ａ，７Ｂの間の上面８（底面）は、突部上面よりも高さ調整部５の厚み分だけ高さが低くなった凹部（許容部）を構成する。このように拇指球位置及び小指球位置の高さを、その他の領域よりも数ミリ高くすると、拇指球及び小指球が中敷き３に当接し、拇指球と小指球との間の足裏面は中敷き３に接しない状態になる。
【手続補正１６】
【補正対象書類名】明細書
【補正対象項目名】００２８
【補正方法】変更
【補正の内容】
【００２８】
同様に、図３（ｂ）に示すように拇指球位置の突部７Ａ及び踵位置の突部７Ｃの間の上面８（底面）は、突部上面よりも高さ調整部５の厚み分だけ高さが低くなった凹部（許容部）を構成する。これにより、拇指球及び踵の少なくとも一部が中敷き３に当接し、拇指球と踵との間の足裏面は中敷き３に接しない状態になる。
【手続補正１７】
【補正対象書類名】明細書
【補正対象項目名】００３０
【補正方法】変更
【補正の内容】
【００３０】
次に、内部構造体１の作用について説明する。図４は、上記靴を履いた足部の模式図である。各突部７は、拇指球位置、小指球位置及び踵位置でそれぞれ足部を支持する。これらの各突部７には体重がそれぞれ集中して加わり、その他の領域に加わる荷重は少ないため、３つの支点で身体を支持することにより、前後左右のバランスを整えることができる。特に扁平足等、平面状の中敷きでは体重の３点支持が適切にできない場合でも、中敷き３を介して突出した各突部７により、３点支持を行うことができる。
【手続補正１８】
【補正対象書類名】明細書
【補正対象項目名】００３１
【補正方法】変更
【補正の内容】
【００３１】
また、拇指球位置から踵位置には、種子骨５０（図５参照）、第１中足骨５１、楔状骨５２、舟状骨５３、距骨５４、踵骨５５等があり、これらの足骨は、鉛直方向上方に湾曲する内側縦足弓１１を構成する。小指球位置から踵位置には、第五中足骨５６、立方骨５７、踵骨５５等があり、これらの足骨は鉛直方向上方に湾曲する外側縦足弓１２を構成する。拇指球位置及び小指球位置の間には、各指の中足骨と基節骨との間の関節が位置し、これらは鉛直方向上方に湾曲する横足弓１３を構成する。
【手続補正１９】
【補正対象書類名】明細書
【補正対象項目名】００３２
【補正方法】変更
【補正の内容】
【００３２】
図５は、上記靴を装着した右足部を左側（内側）からみた模式図であって、図６は、上記靴を履いた右足部を右側（外側）からみた模式図である。図５に示すように、上記靴を履いた場合、拇指球を構成する種子骨５０は、足裏の筋肉等を介して拇指球位置に設けられた突部７Ａによって下方から支持される。また、踵は踵位置に設けられた突部７Ｃによって下方から支持される。また、図６に示すように、小指球は小指球位置に設けられた突部７Ｂによって下方から支持される。
【手続補正２０】
【補正対象書類名】明細書
【補正対象項目名】００３７
【補正方法】変更
【補正の内容】
【００３７】
第１実施形態によれば、以下のような効果を得ることができる。
（１）第１実施形態では、足部の拇指球、小指球及び踵からなる３つの支点をそれぞれ支持する突部７の高さが、該突部７の間の足弓１１〜１３に相対向する上面８よりも高く形成されている。このため、足裏面と中敷き３との間に、各足弓１１〜１３が上下運動可能するために十分な隙間１０が形成されるので、各足弓１１〜１３の弾性運動を確実に妨げないようにすることができる。また扁平足の場合であっても、各突部７により足裏面と中敷き３との間に強制的に隙間１０が形成されるので、足のアーチを育成することができる。
【手続補正２１】
【補正対象書類名】明細書
【補正対象項目名】００４１
【補正方法】変更
【補正の内容】
【００４１】
軟質部材４１には、拇指球位置、小指球位置及び踵位置に、各高さ調整部５Ａ〜５Ｃを嵌合するための孔４１Ａ〜４１Ｃがそれぞれ形成されている。また、軟質部材４１は、高さ調整部５の厚さと、ほぼ同一の厚さに形成されている。そして、軟質部材４１は、これらの孔４１Ａ〜４１Ｃに、各高さ調整部５Ａ〜５Ｃをそれぞれ嵌め込んだ状態で、中底２及び中敷き３との間に挟まれる。
【手続補正２２】
【補正対象書類名】明細書
【補正対象項目名】００４２
【補正方法】変更
【補正の内容】
【００４２】
図８は、この内部構造体４０を拇指球位置及び小指球位置の双方を横切る位置（図２におけるＡ−Ａ線の位置）における横断面図である。各高さ調整部５Ａ〜５Ｃは、軟質部材４１の各孔４１Ａ〜４１Ｃにそれぞれ収容されているため、軟質部材４１の上面はほぼ平面状になる。高さ調整部５の厚さが軟質部材４１の厚さよりも若干厚い場合には、高さ調整部５の高さが若干高くなる。この上面に中敷き３を敷設し、中敷き３側から内部構造体４０を見た場合、上記した突部７を備えた内部構造体１とは異なり、中敷き３には起伏がないように見える。尚、中敷き３を省略し、軟質部材４１と足裏面とが当接するようにしてもよい。
【手続補正２３】
【補正対象書類名】明細書
【補正対象項目名】００４４
【補正方法】変更
【補正の内容】
【００４４】
従って、第２実施形態によれば、以下の効果を得ることができる。
（３）第２実施形態では、足部の拇指球、小指球及び踵からなる３つの支点をそれぞれ支持する高さ調整部５が、各高さ調整部５の周囲に位置し、各足弓に相対向する軟質部材４１よりも、その硬さが大きい。従って、使用者が靴を履くと、軟質部材４１が沈み込み、高さ調整部５が各支点を支持するため、各足弓の弾性運動を妨げない。このため、足のアーチを育成することができる。
【手続補正２４】
【補正対象書類名】明細書
【補正対象項目名】００４８
【補正方法】変更
【補正の内容】
【００４８】
また、底部６６の下面６６Ｂには、支持部としての突部６１〜６３が備えられている。これらの突部６１〜６３は、縁部６４の内側、即ち凹部６５に島状に形成されている。第１突部６１は、スリッパ６０が適用されるサイズの足部の拇指球位置に設けられている。また、スリッパ６０は、適用されるサイズの幅が広いため、第１突部６１は、例えば種子骨の大きさ或いは種子骨の接地部分の大きさよりも、若干大きく形成されていてもよい。
【手続補正２５】
【補正対象書類名】明細書
【補正対象項目名】００５１
【補正方法】変更
【補正の内容】
【００５１】
図１０は、両足に適用されるスリッパ６０の平面図である。突部６１〜６３は、右足用のスリッパ６０及び左足用のスリッパ６０の拇指球位置、小指球位置、及び踵位置にそれぞれ設けられている。このように、第３実施形態では、各突部６１〜６３は、床面と当接する裏面（底部６６の下面６６Ｂ）に設けられているので、使用者がスリッパ６０を履いたときに、各突部６１〜６３が足裏面に当接しないようにすることができる。このため、使用者によっては、各突部６１〜６３を上面６６Ａに設けるよりも履き心地を向上することができる。また、各突部６１〜６３は、スリッパ６０の裏面に形成されているため、スリッパ６０の裏面を床面につけた状態では、縁部６４に隠されて各突部６１〜６３が視認しにくくなっている。このため、スリッパ６０のデザインに影響を与えないような構成にすることができる。
【手続補正２６】
【補正対象書類名】明細書
【補正対象項目名】００５２
【補正方法】変更
【補正の内容】
【００５２】
図１１は、図１０に示す右足用のスリッパ６０のＡ−Ａ線における断面図である。使用者がこのスリッパ６０を履くと、各突部６１〜６３が床面７０に接地し、凹部６５は床面７０に接しない状態になる。また、突部６１〜６３が、縁部６４と同じ高さに形成されている場合には縁部６４も床面７０に接するが、各突部６１〜６３は、使用者の体重を支える拇指球位置及び小指球位置及び踵位置にそれぞれ設けられているため、使用者の体重が各突部６１〜６３に集中して加わる。このため、主に３つの支点で身体を支持することにより、前後左右のバランスを整えることができる。
【手続補正２７】
【補正対象書類名】明細書
【補正対象項目名】００５４
【補正方法】変更
【補正の内容】
【００５４】
従って、第３実施形態によれば、以下の効果を得ることができる。
（４）第３実施形態では、足部の拇指球、小指球及び踵からなる３つの支点をそれぞれ支持する突部６１〜６３が、スリッパ６０の底部６６の下面６６Ｂに設けられている。従って、使用者が靴を履くと、各足弓１１〜１３の弾性変形に応じて、突部６１〜６３以外の底部６６が弾性変形するため、各足弓の弾性運動を妨げないようにすることができる。このため、足のアーチを育成することができる。また、各突部６１〜６３を底部６６に一体に形成したため、足裏面との当接面に凹凸がないスリッパ６０を提供することができる。
【手続補正２８】
【補正対象書類名】明細書
【補正対象項目名】００５７
【補正方法】変更
【補正の内容】
【００５７】
・第１実施形態では、中底２と中敷き３との間に高さ調整部５を設け、突部７を形成したが、図１２に示すように中底２０に許容部としての凹部２１を形成してもよい。凹部２１は、拇指球位置２２、小指球位置２３及び踵位置２４以外の領域を凹状に形成した部分であり、拇指球位置２２、小指球位置２３及び踵位置２４よりも低く形成されている。さらに、この中底２０に、厚さ数ミリの中敷き（図示略）を敷設し、履き心地を向上させることが好ましい。この内部構造体でも、扁平足であっても、各足弓が弾性運動するスペースが確保されるので、足のアーチを育成することができる。
【手続補正２９】
【補正対象書類名】明細書
【補正対象項目名】００６０
【補正方法】変更
【補正の内容】
【００６０】
・上記各実施形態としては、履き物として靴を例に挙げたが、スリッパ、サンダル、靴下等、その他の履き物に具体化してもよい。靴下に具体化する場合、図１３に示すように、靴下３０の内面３１のうち、拇指球位置、小指球位置及び踵位置が厚くなるように編み上げる。或いは拇指球、小指球及び踵の大きさに形成された布地、ポリウレタン等を内面３１に固定してもよい。その結果、拇指球位置の突部３２、小指球位置の突部（図示略）及び踵位置の突部３３がそれぞれ形成される。この靴下３０を装着した場合にも、上記したように足のアーチを育成することができる。
【手続補正３０】
【補正対象書類名】明細書
【補正対象項目名】００６１
【補正方法】変更
【補正の内容】
【００６１】
【図１】本実施形態の靴の内部構造体の分解斜視図。
【図２】内部構造体の平面図。
【図３】（ａ）は拇指球位置から小指球位置を横切る内部構造体の要部断面図、（ｂ）は拇指球位置及び踵位置を横切る内部構造体の要部断面図、（ｃ）は小指球位置及び踵位置を横切る内部構造体の要部断面図。
【図４】靴を履いた足部の模式図。
【図５】足部を内側からみた模式図。
【図６】足部を外側からみた模式図。
【図７】第２実施形態の内部構造体の分解斜視図。
【図８】第２実施形態の内部構造体の要部断面図。
【図９】第３実施形態の履き物の斜視図。
【図１０】第３実施形態の履き物の平面図。
【図１１】第３実施形態の履き物の断面図。
【図１２】別例の内部構造体の斜視図。
【図１３】別例の履き物の要部断面図。
【図１４】足のアーチを説明する概念図。
【手続補正３１】
【補正対象書類名】明細書
【補正対象項目名】００６２
【補正方法】変更
【補正の内容】
【００６２】
１，２０，４０…履き物の内部構造体、５…高さ調整部、７，７Ａ〜７Ｃ，３２，３３…突部、８…許容部を構成する底面、１１…内側縦足弓、１２…外側縦足弓、１３…横足弓、２１，６５…許容部を構成する凹部、３０…履き物としての靴下、５１〜５３…突部、６６Ｂ…下面、Ｐ１…拇指球位置、Ｐ２…小指球位置、Ｐ３…踵位置。